【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
体外回路中で血液を処理するための装置であって：
静脈ライン；
動脈ライン；
ポンプ、フィルターおよび酸素添加器を有する血液処理システムであって、該静脈ラインを経由して患者から血液を受容するための入口、および該動脈ラインを経由して該患者に血液を再灌流ための出口を有する、血液処理システム；
該静脈ラインまたは該血液処理システム中の空気の存在を検出し、かつ出力を生成するセンサー；ならびに
該動脈ラインを通る該患者へのある程度の前方流れを維持しながら、該出力に応答して該血液処理システムの操作を調節するようプログラムされたコントローラー、を備える、装置。
【請求項２】
前記センサーが、前記血液処理システムのガス収集プレナム中に配置される、請求項１に記載の装置。
【請求項３】
前記コントローラーが、前記出力に応答するポンプの速度を減少するようプログラムされている、請求項２に記載の装置。
【請求項４】
減圧源に連結されたバルブをさらに備え、ここで、該バルブが、前記センサーの出力に応答する前記コントローラーによって選択的に作動されるよう構成される、請求項３に記載の装置。
【請求項５】
前記コントローラーが、さらに前記バルブの作動の持続時間に応答する、請求項４に記載の装置。
【請求項６】
前記センサーが、前記静脈ライン上に配置される、請求項１に記載の装置。
【請求項７】
前記センサーが、泡検出器である、請求項６に記載の装置。
【請求項８】
前記センサーが、前記静脈ライン中の圧力をモニターする、請求項６に記載の装置。
【請求項９】
前記ポンプの速度が、所定の限界値まで減少される、請求項３に記載の装置。
【請求項１０】
前記ポンプの速度が、所定の増分で減少される、請求項３に記載の装置。
【請求項１１】
前記血液処理システムが、前記動脈ラインに作動可能に連結されたバルブをさらに備え、そして前記コントローラーが、該バルブの形態を変えることにより該血液処理システムの操作を調整する、請求項１に記載の装置。
【請求項１２】
前記コントローラーが、前記ポンプの速度を減少することにより前記血液処理システムの操作をさらに調整する、請求項１１に記載の装置。
【請求項１３】
前記血液処理システムが、循環ラインをさらに備え、該循環ラインが前記入口および出口と該循環ラインに作動可能に連結されバルブとの間に配置され、そして前記コントローラーが、該バルブの形態を変えることにより該血液処理システムの操作を調整する、請求項１に記載の装置。
【請求項１４】
前記コントローラーが、前記ポンプの速度を減少することにより、前記血液処理システムの操作をさらに調整する、請求項１３に記載の装置。
【請求項１５】
体外回路中で血液を処理するための装置であって：
静脈ライン；
動脈ライン；
ポンプ、空気収集プレナムを有するフィルターおよび酸素添加器を囲む血液処理コンポーネントであって、該静脈ラインを経由して患者から血液を受容するための入口、および該動脈ラインを経由して該患者に血液を再灌流ための出口を有する、血液処理コンポーネント；
該血液処理コンポーネントに作動可能に連結され、出力を生成するセンサー；および
該動脈ラインを通る該患者へのある程度の前方流れを維持しながら、該出力に応答して該血液処理コンポーネントの操作を調節するようプログラムされたコントローラー、を備える、装置。
【請求項１６】
前記センサーが、ガス収集プレナムに作動可能に連結され、空気の圧力を検出する、請求項１５に記載の装置。
【請求項１７】
前記コントローラーが、前記出力に応答するポンプの速度を減少するようプログラムされている、請求項１６に記載の装置。
【請求項１８】
減圧源に連結されたバルブをさらに備え、ここで、該バルブが、前記センサーの出力に応答する前記コントローラーによって選択的に作動されるよう構成される、請求項１７に記載の装置。
【請求項１９】
前記コントローラーが、さらに前記バルブの作動の持続時間に応答する、請求項１８に記載の装置。
【請求項２０】
前記センサーが、前記静脈ライン上に配置される、請求項１５に記載の装置。
【請求項２１】
前記センサーが、泡検出器である、請求項２０に記載の装置。
【請求項２２】
前記センサーが、前記静脈ライン中の圧力をモニターする、請求項２０に記載の装置。
【請求項２３】
前記ポンプの速度が、所定の限界値まで減少される、請求項１７に記載の装置。
【請求項２４】
前記ポンプの速度が、所定の増分で減少される、請求項１７に記載の装置。
【請求項２５】
前記血液処理システムが、前記動脈ラインに作動可能に連結されたバルブをさらに備え、そして前記コントローラーが、該バルブの形態を変えることにより該血液処理システムの操作を調整する、請求項１５に記載の装置。
【請求項２６】
前記コントローラーが、前記ポンプの速度を減少することにより前記血液処理システムの操作をさらに調整する、請求項２５に記載の装置。
【請求項２７】
前記血液処理システムが、循環ラインをさらに備え、該循環ラインが前記入口および出口と該循環ラインに作動可能に連結されたバルブとの間に配置され、そして前記コントローラーが、該バルブの形態を変えることにより該血液処理システムの操作を調整する、請求項１５に記載の装置。
【請求項２８】
前記コントローラーが、前記ポンプの速度を減少することにより、前記血液処理システムの操作をさらに調整する、請求項２７に記載の装置。
【手続補正２】
【補正対象書類名】明細書
【補正対象項目名】００９７
【補正方法】変更
【補正の内容】
【００９７】
【図１】本発明の自動流れ制御システムを取り込む好ましい体外回路の概略図である。
【図２】図２Ａおよび２Ｂは、それぞれ、本発明の自動流れ制御特徴を履行するために適切な好ましい血液処理コンポーネントの斜視図および分解組み立て図である。
【図３】図３は、図２および３の血液処理コンポーネントの側面断面図である。
【図４】図４Ａおよび４Ｂは、それぞれ、図３の血液処理コンポーネントのフィルター要素の斜視図および断面図である。
【図５】図５は、本発明の自動流れ制御システムを取り込む好ましい血液取り扱いシステムの斜視図である。
【図６】図６Ａおよび６Ｂは、それぞれ、図６の血液処理システムによってモニターおよび／または制御されるパラメータのディスプレイを描写する代表的なスクリーンである。
【図７】図７は、空気の大量のボーラスの導入を取り扱うための本発明の自動流れ特徴の第１の動作モードを描写するフローチャートである。
【図８】図８は、個々の、比較的小さな空気のボーラスの導入を取り扱うための本発明の自動流れ特徴の第１の動作モードを描写するフローチャートである。
【図９】図９は、静脈ライン中の泡の発生を取り扱うための本発明の自動流れ制御の第３の動作モードを描写するフローチャートである。
【図１０】図１０は、低静脈圧を取り扱うための本発明の自動流れ制御特徴の第４の動作モードを描写するフローチャートである。
【図１１】図１１Ａは、本発明の自動流れ制御特徴によってモニターおよび／または制御されるパラメータのディスプレイを描写する代表的なスクリーンであり、図１１Ｂは、本発明の自動流れ制御ボタンの種々の状態を描写する代表である。
【図１２】図１２Ａは、上記自動流れ制御システムが、どのように、経時的に低静脈圧誘因の検出に応答するのかを示すグラフであり、そして図１２Ｂは、上記自動流れ制御システムが、どのように、経時的にガスの検出に応答するのかを示すグラフである。
【図１３】図１３は、本発明の原理に従う自動流れ制御システムの代替の実施形態を示す。
【図１４】図１４は、本発明の原理に従う自動流れ制御システムの代替の実施形態を示す。
【手続補正３】
【補正対象書類名】図面
【補正対象項目名】全図
【補正方法】変更
【補正の内容】
【図１】
2006520650.tif 000001
【図２】
2006520650.tif 000002
【図３】
2006520650.tif 000003
【図４】
2006520650.tif 000004
【図５】
2006520650.tif 000005
【図６】
2006520650.tif 000006
【図７】
2006520650.tif 000007
【図８】
2006520650.tif 000008
【図９】
2006520650.tif 000009
【図１０】
2006520650.tif 000010
【図１１】
2006520650.tif 000011
【図１２】
2006520650.tif 000012
【図１３】
2006520650.tif 000013
【図１４】
2006520650.tif 000014